(57)【要約】【課題】貯湯タンクユニットの電子制御装置のみで外気温度を推定することにより、ヒートポンプユニットへの不必要な電源を遮断でき、待機電力の削減を行なうことができるヒートポンプ給湯装置を提供すること。【解決手段】圧縮機１１、給湯用熱交換器１２、減圧装置１３、蒸発器１４、外気温度センサ３３、第１の電子制御装置３０を有るヒートポンプユニットと、貯湯槽１６、第２の電子制御装置３１を有する貯湯タンクユニットとを備え、前記ヒートポンプユニットの電源は前記貯湯タンクユニットを介して供給されるとともに、前記第２の電子制御装置３１で認識している日付情報と前記ヒートポンプへの電源遮断直前の外気温度とに基づいて、外気温度を推定し、前記外気温度推定値が所定値以上の場合には、次回、圧縮機１１を動作させるまで、前記ヒートポンプユニットへの電源供給を行わないことを特徴とするヒートポンプ給湯装置。【選択図】図２
2012127587.tif 000002
【特許請求の範囲】
【請求項１】
圧縮機、給湯用熱交換器、減圧装置、蒸発器、外気温度センサ、第１の電子制御装置を有るヒートポンプユニットと、貯湯槽、第２の電子制御装置を有する貯湯タンクユニットとを備え、前記ヒートポンプユニットの電源は前記貯湯タンクユニットを介して供給されるとともに、前記第２の電子制御装置で認識している日付情報と前記ヒートポンプへの電源遮断直前の外気温度とに基づいて、外気温度を推定し、前記外気温度推定値が所定値以上の場合には、次回、圧縮機を動作させるまで、前記ヒートポンプユニットへの電源供給を行わないことを特徴とするヒートポンプ給湯装置。
【発明の詳細な説明】
【技術分野】
【０００１】
本発明は、ヒートポンプ給湯装置に関するものである。
【背景技術】
【０００２】
従来、この種のヒートポンプ給湯装置では、ヒートポンプユニットへの電源は沸き上げしていない場合には電源の供給を遮断しているが、凍結予防のためある一定間隔でヒートポンプユニットへ電源供給し、外気温度の取得を行っていた（例えば、特許文献１参照）。
【０００３】
図３はその動作フローチャートであり、ヒートポンプユニットの電子制御装置３０に電源供給されると、外気温度取得可能となり、電源供給が遮断されている場合は、外気温度が取得できない構成となっている。
【先行技術文献】
【特許文献】
【０００４】
【特許文献１】特開２００９−９７７９７号公報
【発明の概要】
【発明が解決しようとする課題】
【０００５】
しかしながら、前記従来の構成では、外気温度の情報を取得するためにヒートポンプユニットへ電源供給し待機電力があがるという課題があった。
【０００６】
本発明は、上記従来の課題を解決するもので、貯湯タンクユニットの電子制御装置のみで外気温度を推定することにより、ヒートポンプユニットへの不必要な電源を遮断でき、待機電力の削減を行なうことができるヒートポンプ給湯装置を提供することを目的とする。
【課題を解決するための手段】
【０００７】
前記従来の課題を解決するために、本発明のヒートポンプユニット式給湯装置は、圧縮機、給湯用熱交換器、減圧装置、蒸発器、外気温度センサ、第１の電子制御装置を有るヒートポンプユニットと、貯湯槽、第２の電子制御装置を有する貯湯タンクユニットとを備え、前記ヒートポンプユニットの電源は前記貯湯タンクユニットを介して供給されるとともに、前記第２の電子制御装置で認識している日付情報と前記ヒートポンプへの電源遮断直前の外気温度とに基づいて、外気温度を推定し、前記外気温度推定値が所定値以上の場合には、次回、圧縮機を動作させるまで、前記ヒートポンプユニットへの電源供給を行わないことを特徴とするものである。
【０００８】
これによって、不必要なヒートポンプユニットへの電源供給を行わないことが可能となり、待機電力を削減することができる。
【発明の効果】
【０００９】
本発明によれば、貯湯タンクユニットの電子制御装置のみで外気温度を推定することにより、ヒートポンプユニットへの不必要な電源を遮断でき、待機電力の削減を行なうことができるヒートポンプ給湯装置を提供できる。
【図面の簡単な説明】
【００１０】
【図１】本発明の実施の形態１におけるヒートポンプ給湯装置の制御フローチャート
【図２】同ヒートポンプ給湯装置の構成図
【図３】従来のヒートポンプ給湯装置の制御フローチャート
【発明を実施するための形態】
【００１１】
第１の発明は、圧縮機、給湯用熱交換器、減圧装置、蒸発器、外気温度センサ、第１の電子制御装置を有るヒートポンプユニットと、貯湯槽、第２の電子制御装置を有する貯湯タンクユニットとを備え、前記ヒートポンプユニットの電源は前記貯湯タンクユニットを介して供給されるとともに、前記第２の電子制御装置で認識している日付情報と前記ヒートポンプへの電源遮断直前の外気温度とに基づいて、外気温度を推定し、前記外気温度推定値が所定値以上の場合には、次回、圧縮機を動作させるまで、前記ヒートポンプユニットへの電源供給を行わないことを特徴とするヒートポンプ給湯装置である。
【００１２】
これにより、ヒートポンプユニットへの不必要な電源を遮断でき、待機電力の削減を行うことが可能となる。
【００１３】
以下、本発明の実施の形態について、図面を参照しながら説明する。なお、この実施の形態によって本発明が限定されるものではない。
【００１４】
（実施の形態１）
図１および図２は、本発明の実施の形態１におけるヒートポンプ給湯装置と運転制御を示したものである。
【００１５】
図１において、ヒートポンプ給湯装置は、インバータ式圧縮機１１、給湯用熱交換器１２、減圧装置１３、蒸発器１４を冷媒配管１５により環状に接続して構成されたヒートポンプユニットサイクルと、給湯用の液体を蓄える貯湯槽１６と、前記貯湯槽内の液体が前記給湯装置を介し循環できる液体配管１８と、前記液体配管に貯湯槽内の液体を流通させる流体循環ポンプ１７とを備えている。
【００１６】
また、ＡＣ電源３２から電源供給を受けるタンクの電子制御装置３１と、前記タンクの電子制御装置から電源供給線３４を介して電源供給を受けるヒートポンプユニットの電子制御装置３０と、電子制御装置３０に接続されている外気温度センサ３３より外気温度情報を取得することができる。
【００１７】
次に、本実施の形態の動作・作用について説明する。
【００１８】
図２は、図１の構成によりヒートポンプユニットの電子制御装置３０に電源供給されなくなった場合に、タンクの電子制御装置３１で有している日付情報と、ヒートポンプユニットの電子制御装置３０への電源供給を遮断する直前の外気温度を用いて外気温度推定４７により一日の外気推移温度を推定する。
【００１９】
外気の推定温度値が低い場合は、運転指示作成４５によりヒートポンプユニットへの運転指示を行い、ヒートポンプユニットを運転させることで水配管の凍結を防止することが可能となる。したがって、水配管が凍結するなどのヒートポンプ給湯装置としての機能を損なうことなく不必要な電源供給をなくすことで待機電力の削減が可能となる。
【産業上の利用可能性】
【００２０】
以上のように、本発明にかかるヒートポンプ給湯装置は、家庭用の給湯装置に適用できるほか、業務用などの規模の大きい用途にも適用し、待機電力の削減でき省エネルギー性を提供できる。
【符号の説明】
【００２１】
１１  インバータ式圧縮機
１２  給湯用熱交換器
１３  減圧装置（電磁膨張弁）
１４  蒸発器
１５  冷媒配管
１６  貯湯槽
１７  流体循環ポンプ
１８  液体配管
３０  ヒートポンプユニットの電子制御装置
３１  タンクの電子制御装置
３２  ＡＣ電源
３３  外気温度センサ
３４  電源供給線
【図１】
2012127587.tif 000003
【図２】
2012127587.tif 000004
【図３】
2012127587.tif 000005